(57)【要約】      （修正有）【課題】複数のシザースを有する単位給糸装置において、糸から発生する分離繊維或いは塵埃などの前記装置内への堆積を取り除くため、給糸装置の内部のメンテナンスを容易に行うことが出来るように、給糸装置を編機に取り付けたままその内面を所定角度開放すること、或いは、編機から給糸装置を容易に取り外すことを可能とする。【解決手段】シザース選択手段とシザース開閉手段操作手段とをトップパートに、シザースアッセンブリと，シザース揺動手段と，シザース開閉手段とをボトムパートに、それぞれ設けると共に、トップパートとボトムパートとの間にわたって、ボトムパート開放固定手段をボトムパートの開放角度を変更し、得るようにして設けた。【選択図】図１
0003132955.tif 000002
【実用新案登録請求の範囲】
【請求項１】
シザース選択手段とシザース開閉手段操作手段とをトップパートに、シザースを有するシザースアッセンブリと，シザース揺動手段と，シザース開閉手段とをボトムパートに、トップパートとボトムパートとの間にわたって、ボトムパート開放固定手段をそれぞれ設け、トップパート下部にボトムパートを取り外し自在に枢着支持すると共に、トップパートとボトムパートとを固定するロック部材を設けてなり、ボトムパート開放手段は、ガイド溝を有しガイド溝の１側縁には複数の凹陥溝部を設け、ガイド溝の他側縁にはピン逃し切欠を設けたステーを、前記ピン逃し切欠側に向け揺動するよう付勢してトップパートからボトムパートに垂下し、ボトムパートのサイドプレートに設けたピンを前記ガイド溝に摺動嵌合させてなる編機における給糸装置。
【請求項２】
シザース選択手段とシザース揺動手段との接続は、シザース選択手段のスライドプレートに設けた袋状の凹陥部に、シザース揺動手段のカップリングアームの先端部を挿入することにより行うことを特徴とする請求項１記載の編機における給糸装置。
【考案の詳細な説明】
【技術分野】
【０００１】
本考案は、丸編機における給糸装置に関する。
【背景技術】
【０００２】
丸編機においては一般に、針を支持するシリンダーの外周の複数位置に単位給糸装置を配し、各単位給糸装置ごとに複数のシザースを保持し、適宜編成する編地の柄等に応じて、上記単位給糸装置のシザースを切替えて所定の糸を給糸している。
【０００３】
選択されたシザースは揺動し保持する糸を編成位置に出し、保持を開いて給糸し編成を開始すると共に、編成が終了した糸は、編成位置に出ているシザースを退去させて糸を待機位置に退去させているが、上記の編糸の切替時に新旧糸の開放保持動作がタイミング的に斉一に行われないと、給糸不納糸切れ等のトラブルの原因となってしまう。
【０００４】
また上記の、切替えるべき複数の糸を保持している単位給糸装置は編機シリンダの外周面或いはその上位に接近して設けられており、その内部は、給糸すべき複数の糸それぞれを案内するカム，レバー，プレート等が積層状態にセットされており、かつ、糸を取り扱う関係上極めて塵埃の発生を多く見る処でもあり、その塵埃を除くために、強力なエアを吹き付けるなどの保善作業が行われているが、給糸装置内部を直接に清浄化することは出来なかった（特許文献１参照）。
【特許文献１】特開２００４−１３１９０８号公報
【考案の開示】
【考案が解決しようとする課題】
【０００５】
本考案は上記の点に鑑みて、単位給糸装置が複数のシザースを有し、その内の選択されたシザースが揺動して新たに給糸を開始し、給糸を行っていたシザースが待機姿勢に戻るようにした単位給糸装置において、扱う糸の走行により糸から発生する分離繊維或いは塵埃などの前記装置内への堆積を取り除くための、給糸装置の内部のメンテナンスを容易に行うことが出来るように、給糸装置を編機に取り付けたままその内面を所定角度開放すること、或いは、編機から給糸装置を容易に取り外すことを可能としている。
【課題を解決するための手段】
【０００６】
請求項１記載の編機における給糸装置は、シザース選択手段１００とシザース開閉手段操作手段４００とをトップパート４に、シザースを有するシザースアッセンブリ２００と，シザース揺動手段３００と，シザース開閉手段５００とをボトムパート５に、トップパート４とボトムパート５との間にわたって、ボトムパート開放固定手段６００をそれぞれ設け、トップパート４下部にボトムパート５を取り外し自在に枢着支持すると共に、トップパート４とボトムパート５とを固定するロック部材６１を設けてなり、ボトムパート開放手段６００は、ガイド溝７３を有しガイド溝７３の１側縁には複数の凹陥溝部７５，７６を設け、ガイド溝７３の他側縁にはピン逃し切欠７３ａを設けたステー７２を、前記ピン逃し切欠７３ａ側に向け揺動するよう付勢してトップパート４からボトムパート５に垂下し、ボトムパート５のサイドプレート２ｂに設けたピン７４を前記ガイド溝７３に摺動嵌合させてなる。
請求項２記載の編機における給糸装置は、請求項１記載の給糸装置におけるシザース選択手段とシザース揺動手段との接続を、シザース選択手段１００のスライドプレート５０に設けた袋状の凹陥部５０ｂに、シザース揺動手段３００のカップリングアーム３４の先端部を挿入することにより行っている。
【考案の効果】
【０００７】
本考案は、シザース選択手段とシザース開閉手段操作手段とをトップパートに、シザースを有するシザースアッセンブリと，シザース揺動手段と，シザース開閉手段とをボトムパートに、トップパートとボトムパートとの間にわたって、ボトムパート開放固定手段をそれぞれ設け、トップパート下部にボトムパートを取り外し自在に枢着支持すると共に、トップパートとボトムパートとを固定するロック部材を設けてなり、ボトムパート開放手段は、ガイド溝を有しガイド溝の１側縁には複数の凹陥溝部を設け、ガイド溝の他側縁にはピン逃し切欠を設けたステーを、前記ピン逃し切欠側に向け揺動するよう付勢してトップパートからボトムパートに垂下し、ボトムパートのサイドプレートに設けたピンを前記ガイド溝に摺動嵌合したため、ボトムパートを上挙し、その内部を開放する際に、ステー７２に設けたガイド溝７３の複数の凹陥溝部７５を適宜選択してボトムパート５に設けたピン７４と係合させることで開放角度を適宜選択しメンテナンスを行うことが出来る。
【０００８】
また、前記ピン７４とガイド溝７３との係合を、ピン７４をピン逃し切欠７３ａからガイド溝７３から外す事によりピン７４とステー７２との係合を解くことが出来るので、ボトムパート５を揺動支持しているピン６５を取り去るだけで、ボトムパート５をトップパート４から取り外すことも可能である。
。
【考案を実施するための最良の形態】
【０００９】
本考案の実施の形態を図面と共に次に説明する。
図１は本考案給糸装置１の側面図である。図１に示す給糸装置１は、その１側のトップサイドプレート２ａ及びボトムサイドプレート２ｂを取り外した状態を示している。給糸装置１の下位に示すシリンダ針３は、シリンダ針列の１本を示し、針列は図面紙面と直交する方向に環状に延びている。ダイヤル針は省略している。
【００１０】
本考案給糸装置１は、トップパート４とボトムパート５とよりなり、トップパート４には給糸すべき糸を切断保持し案内するシザース３５を選択するシザース選択手段１００と、シザース開閉手段操作手段４００と、給糸装置１内部のメンテナンスを容易とするために給糸装置１のボトムパート５を開く開放手段６００とを有し、ボトムパート５には選択された糸を保持し、該糸を針３に案内するシザース３５を有するシザースアッセンブリ２００と、シザース揺動手段３００と、シザース開閉手段５００とを有し、トップパート４とボトムパート５とに渡って、トップパート４に対しボトムパート５を固定し或いは固定を開放し取り外しを可能とするボトムパート開放固定手段６００を有している。トップパート４は機台前面側に設けられるフロントブラケット６と、それと対をなして設けられるリヤブラケット７の両側にトップサイドプレート２ａを設け、その内部に前記したシザース選択手段１００及びシザース開閉手段操作手段４００を配し、対のトップサイドプレート２ａのいずれか一方の下縁からボトムパート開放固定手段６００を垂下している。ボトムパート５は２枚のボトムサイドプレート２ｂ間を適宜位置に設けたシャフト９，９・・・により所定の間隔を持ち、その間に糸保持案内手段のシザースアッセンブリ２００，シザース揺動手段３００，シザース開閉手段５００を配し、トップパート４のトップサイドプレート２ａからボトムパート開放固定手段６００を垂下している。そして、ボトムパート５はトップパート４のフロントブラケット６にシャフト１０により取り外し可能にかつ揺動可能に枢着支持されている。
【００１１】
本考案給糸装置１の図示した例においては、給糸する糸の種類（本数）を６種類（６本）としている。従って、シザース選択手段１００，糸切断保持案内手段のシザースアッセンブリ２００，シザース揺動手段３００等の各手段を構成する単位体は６組ずつ設けられているが、シザース開放手段操作手段４００，シザース開閉手段５００は各単位共通としているので１組とする。そして、給糸装置１はシリンダ針列の上位に環状に複数台設けられている。
【００１２】
トップパート４について説明する。
トップパート４は、フロントブラケット６及びリヤブラケット７とによって丸編機フレーム１１に取り付けられている。トップパート４の上位には、シリンダ針３を支持するシリンダ（図示せず）と同期回転するようにアクチエーター１２が設けられている。
アクチエーター１２は、選択すべき編糸の種類数に応じた数の揺動爪１３を有し、所定の糸に対応する揺動爪１３を揺動させることにより、該爪１３を、アクチエーター１２の下位に設けられアクチエーター１２と共に糸選択手段を構成するセレクター１４のセレクタープレート１４ａのセレクターバット１４ｂに当接し、セレクタープレート１４ａを押し下げるようにしている。
【００１３】
セレクター１４は所定枚数（本実施例では６枚）のセレクタープレート１４ａをセレクターガイド１４ｃにより等間隔に並列し、かつ、上下に摺動自在に支持している。セレクター１４の詳細を説明すると、各セレクタープレート１４ａの上縁にはそれぞれ位置を変えたセレクターバット１４ｂが設けられセレクターバット１４ｂのそれぞれが、セレクター１４の上位に設けられたアクチエーター１２の揺動爪１３と対応している。そして、揺動爪１３が揺動した状態のもとで編機の回転により揺動爪１３がセレクターバット１４と当接すると当該セレクタープレート１４ａは選択されてセレクターガイド１４ｃ内を押し下げられることになる。セレクタープレート１４ａの下縁両端には突部１４ｄが設けられている。
前記突部１４ｄは、フロントブラケット６，リヤブラケット７間を覆っているトップカバー８に設けた、セレクタープレート１４ａの間隔に等しい間隔で明けられたスリット８ａから下方に突出することが出来るよう支持されている。
【００１４】
セレクター１４の下位の、各セレクタープレート１４ａに接する位置に、フィンガープレート１５がセレクタープレート１４ａと同様にセパレーター５２により等間隔に並列状態にかつそれぞれが個別に独自に摺動出来るように設けられている。フィンガープレート１５は、上部両端に突出させてフィンガープレートバット１５ａ，１５ｂを有し、同フィンガープレートバット１５ａ，１５ｂは前記トップカバー８のスリット８ａからトップカバー８外に突出可能としている。そしてフィンガープレート１５は、それぞれ左右一対の横手方向に延びる長孔１５ｃを穿設し、かつ下縁の一側端縁には案内板状体１５ｄを下方に突出し、他側縁には位置決め用の凹欠部１５ｅを上下に２個所設けている。フィンガープレート１５は、その側面に密接してスライドプレート５０を設け両者をピン５１で枢着する。スライドプレート５０の一側下端縁に設けた突出部５０ａには、逆Ｕ字形の凹陥部５０ｂを、また、他側下端縁には端縁下部を支点とする爪部材５０ｃを枢着する。前記爪部材５０ｃは前記したフィンガープレート１５の上下の位置決め用凹欠部１５ｅのいずれかに嵌合しフィンガープレート１５とスライドプレート５０の位置を固定する。爪部材５０ｃとフィンガープレート１５との間にはスプリング５０ｄを掛け渡している。
【００１５】
上記の如く、重ね合わせピン５１で枢着した１組のスライドプレート５０とフィンガープレート１５とを複数組（本実施例では６組）セパレーター５２で区画してプロック状のシザース選択手段１００としているが、シザース選択手段１００はシザース揺動手段３００と次の如く接続される。
【００１６】
シザース選択手段１００において、重なり合うスライドプレート５０とフィンガープレート１５とはスライドプレート５０の突出部５０ａとフィンガープレート１５の案内板状体１５ｄとが接し合うことになり、更に前記の重なりに加え、セパレーター５２がスライドプレート５０に重なることにより、スライドプレート５０は、フィンガープレート１５とセパレーター５２とによって挟まれ、スライドプレート５０の突出部５０ａのＵ字形の凹陥部５０ｂは、その両側を、フィンガーフーレート１５の案内板状体１５ｄで塞がれた袋状を呈することになり、この凹陥部５０ｂに、前述のシザース揺動手段３００のカップリングアーム３４の先端部を挿入することにより、シザース選択手段１００はシザース揺動手段に接続されシザース選択手段１００のスライドプレート５０，フィンガープレート１５の横行動の動きを、シザース揺動手段３００に伝えることが出来る。
【００１７】
前記フィンガープレート１５の下部の長孔１５ｃ内と、スライドプレート５０の長孔５０ｃとのそれぞれにピン１５ｇを通し案内部材としている。
フィンガープレートバット１５ａ，１５ｂがトップカバー８のスリット８ａから突出した際に、フィンガープレートバット１５ａと当接する位置にリセットカム１７を、フィンガープレートバット１５ｂと当接する位置にダウンカム１８をそれぞれアクチエーター１２と同様手段で設けている。
更に、トップパート４には後述するボトムパート５に設けられているシザース開閉手段５００操作用の、コントロールレバー２１とそれを作動するソレノイド２２とよりなるシザース開閉手段操作手段４００が設けられている。
【００１８】
ボトムパート５は、それぞれが糸を保持しており、その内の選択されたものが揺動し編成針に編糸を給糸する複数のシザースアッセンブリ２００と、前記各シザースアッセンブリ２００を個別に揺動する複数のシザース揺動手段３００と、シザース開閉手段５００とを有し、トップパート４とボトムパート５とにわたってメンテナンスの為にボトムパート５内部を開いた状態で固定し或いはボトムパート５をトップパート４から取り外すことが出来るようにすることを可能にしたボトムパート開放固定手段６００とを有している。
【００１９】
シザースアッセンブリ２００について説明する。シザースアッセンブリ２００は、先端部位に凹陥部を形成し、該部を糸道３７とした角柱状の固定刃３５ａの、前記糸道３７を先端部で被うように可動刃３５ｂを固定刃３５ａの一側に重ねてシザース３５とし、固定刃３５ａの他側面には糸押さえプレート３８と該プレート３８に固定刃３５ａに押し当てる板ばね３９をそれぞれ重ね、固定刃３５ａに摺動自在に支持されたスライダ４０に、前記可動刃３５ｂ，糸押さえプレート３８，板ばね３９が固定されている。
スライダ４０は、２枚の同形の側板４１，４１の間にスペーサー４０ａ，４０ｂを介して作られた空間内に前記固定刃３５ａを中心にしてその一側に可動刃３５ｂを、他側に糸押えプレート３８，板ばね３９を重ねた状態に挿入している。そして、可動刃３５ｂ，糸押えプレート３８，板ばね３９の側縁に突出した突部３６，３８ａ，３９ａをスライダ４０の側板４１，４１のいずれか一方又は双方に設けた窓部４１ａに係合突出させることによって可動刃３５ｂ，糸押えプレート３８，板ばね３９とスライダ４０を一体化し、固定刃３５ａと糸押えプレート３８との間に位置させた固定刃３５ａに対し、スライダ４０の位置を上下動することにより固定刃３５ａに対し可動刃３６及び糸押えプレート３８，板ばね３９の位置を上下させ得るように支持している。スライダ４０には、後述するシザース開閉手段５００のコントロールアーム５５ａ，５５ｂに設けたバー５５ｃ，５５ｄが係合する上向きの凹部４１ｂと下向きの凹部４１ｃとが設けられている。
シザースアッセンブリ２００は角柱状の固定刃３５ａの上部がシザースプレート３２に固定されている。固定手段は次の如くである。図３Ｂに示す如くシザースプレート３２の一面に浅い溝３２ａを切削し、固定刃３５ａの端部を該溝３２ａに嵌合し両者を一体化する。前記溝３２ａの上下両端付近の両側に方形の小穴３２ｂ，３２ｃ，３２ｄ，３２ｅを設け、小穴３２ｂ，３２ｃ間及び３２ｄ，３２ｅ間にほぼＭ字状に屈曲した弾性板状態よりなるシザースクリップ３２ｆを図３ＢのＢ−Ｂ断面図に示す如く架け渡すことにより、シザースクリップ３２ｆの中央部３２ｇとシザースクリップ３２ｆの両端の足状部のフランジ３２ｈとによってシザースクリップ３２ｆの弾性加圧の元で固定刃３５ａをシザースプレート３２に固定している。
シザースアッセンブリ２００が待機位置にあるときは、固定刃３５ａに対し可動刃３５ｂ及び糸押えプレート３８は進出し、糸端を切断すると共に糸端を固定刃３５ａ頭部と糸押えプレート３８とによりニップし保持している。
シザースアッセンブリ２００を支持するシザースプレート３２は後述するシザース揺動手段３００のカップリングアーム３４に枢支にされている。
【００２０】
シザース揺動手段３００につき説明する。ボトムパート５のサイドプレート２ａ，２ａ間に亘って設けた軸３１に、シザース揺動手段３００として複数（本実施例では６枚）のシザースプレート３２がスプリング３３により図１において反時計針方向に旋回するよう付勢されて揺動自在に支持される。シザースプレート３２に前述の如くシザースアッセンブリ２００が設けられている。シザースプレート３２には軸３４ａで揺動自在に支持されたカップリングアーム３４を枢着している。カップリングアーム３４の上部先端部分は円板状をなしており、トップパート４のシザース選択手段１００のスライドプレート５０に形成された袋状の凹陥部５０ｂに挿入嵌合されている。そのためスライドプレート５０の左右動に従ってカップリングアーム３４が揺動し、それと連結されているシザースプレート３２も往復揺動をすることになり、シザースプレート３２に支持されたシザースアッセンブリ２００も待機位置と給糸位置との間を揺動する。
【００２１】
尚、上記カップリングアーム３４の先端部の、スライドプレート５０の凹陥部５０ｂへの挿入は、トップパート４とボトムパート５との間を開放する際に、トップパート４のシザース選択手段１００とボトムパート５のシザース揺動手段３００との連係を解くのに容易に行えるようにしたために、両者を接続するときは凹陥部５０ｂにカップリングアーム３４の先端を挿入するだけで良く、両者の接続を解くときは単にカップリングアームを引き抜くだけで良い。
【００２２】
シザースアッセンブリ２００の可動刃３５ｂの操作を行うシザース開閉手段５００は次の如く構成されている。
シザースプレート３２の上位に断面倒コ字形のコントロールブロック５５を軸５６で揺動自在に支持し、コントロールブロック５５の４隅から４本のコントロールアーム５５ａ，５５ａ，５５ｂ，５５ｂを垂下する。コントロールアーム５５ａ，５５ａの間隔、同５５ｂ，５５ｂ，の間隔は複数枚並設したシザースプレート３２の間隔より大で、並設したシザースプレート３２の外側に垂下するようにしている。コントロールアーム５５ａ，５５ａの下端間にはバー５５ｃを、コントロールアーム５５ｂ，５５ｂの下端間にはバー５５ｄをそれぞれ設ける。コントロールブロック５５にはスプリング５７を設け図１において反時計針方向に旋回するよう付勢している。前記コントロールプロック５５の揺動時にコントロールブロック端部の上下する動きに従って上下動するバー５５ｃ，５５ｄの動きを規制するための長孔５５ｅ，５５ｆを両サイドプレート２ａ，２ａに設け、長孔５５ｅ，５５ｆとバー５５ｃ，５５ｄが係合し、長孔５５ｅ内を下降するバー５５ｃがシザース２００のスライダ４０の上向きに開かれた凹部４１ｂに嵌合し可動刃３５ｂを押し下げ、シザース２００が図１において時計針方向に旋回したとき、長孔５５ｆの内を上昇するバー５５ｄがシザースアッセンブリ２００のスライダ４０の下向きに開かれた凹部４１ｃに嵌合し、可動刃３６を引き上げる。
【００２３】
前記コントロールブロック５５には、垂直上向にコントロールプレート５８が枢支されている。コントロールプレート５８の頂部５８ａは、トップパート４に設けられソレノイド２２と共にシザース開閉手段操作手段４００を構成するコントロールレバー２１と接している。コントロールレバー２１は垂直方向に上下動可能に支持され、コントロールレバー２１の上位にはソレノイド２２が、アクチエーター１２，リセットカム１７，ダウンカム１８と同様に支持されて位置しておりソレノイド２２の作動時はコントロールレバー２１は押し下げられるので、その動きはコントロールプレート５８に伝えられコントロールブロック５５が図１において時計針方向に旋回動することになる。
【００２４】
ボトムパート旋回固定手段６００について説明する。ボトムパート旋回固定手段６００は、ボトムパートのメンテナンス時などにボトムパート５を開いた状態に位置を固定するための手段であって、ボトムパート５を通常使用状態にロックするロック部材６１と、開放状態を固定するための開放位置固定部材６２とよりなる。
ロック部材６１はボトムパート５の上位にその幅方向に摺動可能に設けられた一対の平行したラッチレバー６３よりなり、前記対のレバー６３は両端部においてピン６４，６５で互いに連結され４角の枠組を構成している。そして、ピン６４，６５はボトムパート５のボトムサイドプレート２ｂ，２ｂに設けた横長孔６６，６７に摺動自在に嵌合している。そしてピン６５にはスプリング６８を設けることによりラッチレバー６３が図１において常に左行するように付勢されている。そしてラッチレバー６３の左端部（図１において）のピン６４は常態にあってはトップパート４のリヤブラケット７の下方に延びている鉤部６９と係合している。そして、上記鉤部６９とピン６４とが外れると、ボトムパート５は、ボトムパート５とトップパート４とを枢支しているシャフト１０を中心に図１において反時計針方向に旋回することになる。
【００２５】
上記旋回時に旋回位置（角度）を２個所に固定できる例を図１，図５に図示している。トップサイドプレート２ａ，２ａがボトムサイドプレート２ｂ，２ｂ側に突出した部分に設けた軸７１によって開放位置固定部材６２のステー７２を垂下する。ステー７２は中央部に延びるガイド溝７３を有し、ガイド溝７３にボトムパート５のサイドプレート２ｂ，２ｂに設けたピン７４を摺動自在に嵌合している。前記ガイド溝７３複数の、実施例では中央部と端部とに凹陥溝部７５，７６を設けてあり、前記ピン７４が端部の凹陥溝部７６に嵌合した場合ボトムパート５は９０°開いて固定され中央の凹部７５に嵌合した場合はボトムパート５は４５°開いて固定される。前記凹陥溝部７５，７６を設けた反対側縁にはステー７２を切欠してピン逃し切欠７３ａを構成する。ピン逃し切欠７３ａは、ステー７２のガイド溝７３に係合しているピン７４をステー７２の溝から外しステー７２とピン７４の係合を解くために設けたものである。
【００２６】
次に給糸装置１の作用につき説明する。
給糸装置１のシザースアッセンブリ２００が待機位置にある場合は図１に示す如くすべてのシザース２００は糸道３７及び刃先部分を上挙している。その内の１つのシザースアッセンブリ２００を選択し、給糸位置に揺動しようとする場合、当該シザースアッセンブリ２００に対応するアクチエーター１２の揺動爪１３を作動させる。例えば、最左端のアクチエーターの揺動爪１３を揺動して、編機の回転によりセレクターバット１４ｂと接触させセレクターバット１４ｂをを押し込み、セレクタープレート１４ａの下端縁の突部１４ｄをフィンガープレート１５に押し当て、フィンガープレート１５をピン５１を中心に時計針方向に揺動し、フィンガープレートバット１５ｂを突出させる。この動きによりフィンガープレートバット１５ｂは、回転するダウンカム１８と当接し同カムにより図１右方向に移動させられる。
【００２７】
上記フィンガープレート１５の右行により、フィンガープレート１５と一体のスライドプレート５０も右行するから、スライドプレート５０の下縁端部に設けられた袋状の凹陥部５０ｂに先端頭部が嵌合しているカップリングアーム３４が軸３４ａを中心に時計針方向に旋回し、カップリングアーム３４と連結しているシザースプレート３２も、軸３１を中心として時計針方向に旋回する。この動きによって、シザースプレート３２に支持されているシザースアッセンブリ２００は垂直方向に向いた給糸位置となる。上記動作がシザース選択手段１００とシザース揺動手段３００とよりなるシザース揺動作動系装置の動きである。
【００２８】
次にシザース開閉手段５００とシザース開閉手段操作手段４００とよりなるシザース開閉作動系装置の動きを説明する。前記シザースアッセンブリ２００の給糸位置への揺動と同期してソレノイド２２を作動させ、コントロールレバー２１を介してコントロールプレート５８を押し下げ、コントロールブロック５５を軸５６を中心に図１において時計針方向に旋回する。このときシザースアッセンブリ２００は垂直の給糸位置をとっているが、シザースアッセンブリ２００の可動刃３６と一体のスライダ４０の下向きの凹部４１ｃとコントロールブロック５５から垂下しているコトロールアーム５５ｂ先端のバー５５ｄとが係合し、コントロールブロック５５の時計針方向への動きにつれてスライダ４０を上昇し、スライダ４０と一体の可動刃３５ｂを引き上げる。可動刃３５ｂの上昇動と糸押えプレート３８，糸ばね３９の上昇とは一体的に行われ固定刃３６の糸道３７にニップされていた糸は開放されニードル３に給糸される。
【００２９】
メンテナンス等のためにボトムパート５を開き、或いは取り外すための操作について説明する。
図１に示す如く、ボトムパート５はトップパート４にシャフト１０によりヒンジ付けされており、トップパート５のリヤブラケット７に設けた鉤部６９内に、ロック部材６１のラッチレバー６３に設けられているピン６４がスプリング６８に引かれて嵌合し、ボトムパート５はトップパート４に固定されている。そこでラッチレバー６３を給糸装置１の正面側（図１において右側）からラッチレバー６３に設けられているピン６５を、スプリング６８の引力に抗して引くことによりラッチレバー６３のピン６４とトップパート４の鈎部６７との係合を解きロックを開放する。
【００３０】
ピン６４が鉤部６９と外れるとボトムパート５は自重でシャフト１０を中心に図１において反時計針方向に旋回するので、トップパート４から垂下しているステー７２のガイド溝７３内をボトムパート５のピン７４が摺動し、ステー７２がスプリング７７により時計針方向に旋回するよう引かれていため同ピン７４はガイド溝７３の凹陥部７５と嵌合し、ボトムパート５の旋回動は固定される。その位置は図５に一点鎖線で示されるボトムパート５が４５°揺動した位置となる。ボトムパート５を９０°揺動する際は、ステー７２を手動でスプリング７７に抗して、図５において反時計針方向に旋回し凹陥部７５とピン７４の係合を解いた上でピン７４をガイド溝７３内をガイド溝７３の先端まで移動しピン７４と凹陥部７６とを係合させ、図５の２点鎖線に示す位置にすることが出来る。
【００３１】
メンテナンスの都合上ボトムパート５をトップパート４から取り外す場合は、前記同様にロック部材６１の開放を行い、トップパート４の鉤部６９とラッチレバー６３のピン６４を係合を解きボトムパート５を旋回動させボトムパートのピン７４をステー７２のガイド溝７３に沿って移動し、ガイド溝７３のピン逃し切欠７３ａからピン７４を溝７３外に出すことによピン７４とステー７２との係合を解き、その上でボトムパート５をトップパート４に枢支しているシャフト１０を取り外してボトムパート５をトップパート４から取り外する。
【００３２】
本考案装置は上記の如くステー７２のガイド溝７３にピン逃し切欠７３ａを設けることによっ、ガイド溝７２に嵌合しているボトムパート位置固定用のピン７４をガイド溝７２から溝外に出すことが出来、それによってピン７４とステー７２と係合を解くことが出来、ボトムパート５とトップパート４の分離が可能となった。
【図面の簡単な説明】
【００３３】
【図１】本考案装置の要部を示す側面図。
【図２】本考案装置のシザースの側面図。
【図３】Ａは図２におけるＡ−Ａ線断面図、Ｂは図２におけるＢ−Ｂ線断面図、Ｃは図２におけるＣ−Ｃ線断面図。
【図４】Ａは固定刃の側面図、Ｂは固定刃の正面図、Ｃは可動刃の側面図、Ｄは可動刃の正面図、Ｅは糸押さえプレートの側面図、Ｆは糸押えプレートの正面図、Ｇは板ばねの側面図、Ｈは板ばねの正面図。
【図５】本考案装置のボトムパート開放固定手段の動作説明図。
【図６】Ａはスライドプレートの側面図、Ｂはフィンガープレートの側面図、Ｃはセパレーターの側面図。
【符号の説明】
【００３４】
１  給糸装置
２ｂ  ボトムパートサイドプレート
４  トップパート
５  ボトムパート
３４  カップリングアーム
５０  スライドプレート
５０ｂ  凹陥部
６１  ロック部材
７２  ステー
７３  ガイド溝
７３ａ  ピン逃し切欠
７４  ピン
７５，７６  凹陥溝部
１００  シザース選択手段
２００  シザースアッセンブリ
３００  シザース揺動手段
４００  シザース開閉手段操作手段
５００  シザース開閉手段
６００  ボトムパート開放固定手段
【図１】
0003132955.tif 000003
【図２】
0003132955.tif 000004
【図３】
0003132955.tif 000005
【図４】
0003132955.tif 000006
【図５】
0003132955.tif 000007
【図６】
0003132955.tif 000008
【手続補正書】
【提出日】平成19年4月10日(2007.4.10)
【手続補正１】
【補正対象書類名】実用新案登録請求の範囲
【補正対象項目名】請求項１
【補正方法】変更
【補正の内容】
【請求項１】
シザース選択手段とシザース開閉手段操作手段とをトップパートに、シザースを有するシザースアッセンブリと，シザース揺動手段と，シザース開閉手段とをボトムパートに、トップパートとボトムパートとの間にわたって、ボトムパート開放固定手段をそれぞれ設け、トップパート下部にボトムパートを取り外し自在に枢着支持すると共に、トップパートとボトムパートとを固定するロック部材を設けてなり、ボトムパート開放固定手段は、ガイド溝を有しガイド溝の１側縁には複数の凹陥溝部を設け、ガイド溝の他側縁にはピン逃し切欠を設けたステーを、前記ピン逃し切欠側に向け揺動するよう付勢してトップパートからボトムパートに垂下し、ボトムパートのサイドプレートに設けたピンを前記ガイド溝に摺動嵌合させてなる編機における給糸装置。
【手続補正２】
【補正対象書類名】明細書
【補正対象項目名】０００６
【補正方法】変更
【補正の内容】
【０００６】
請求項１記載の編機における給糸装置は、シザース選択手段１００とシザース開閉手段操作手段４００とをトップパート４に、シザースを有するシザースアッセンブリ２００と，シザース揺動手段３００と，シザース開閉手段５００とをボトムパート５に、トップパート４とボトムパート５との間にわたって、ボトムパート開放固定手段６００をそれぞれ設け、トップパート４下部にボトムパート５を取り外し自在に枢着支持すると共に、トップパート４とボトムパート５とを固定するロック部材６１を設けてなり、ボトムパート開放固定手段６００は、ガイド溝７３を有しガイド溝７３の１側縁には複数の凹陥溝部７５，７６を設け、ガイド溝７３の他側縁にはピン逃し切欠７３ａを設けたステー７２を、前記ピン逃し切欠７３ａ側に向け揺動するよう付勢してトップパート４からボトムパート５に垂下し、ボトムパート５のサイドプレート２ｂに設けたピン７４を前記ガイド溝７３に摺動嵌合させてなる。
請求項２記載の編機における給糸装置は、請求項１記載の給糸装置におけるシザース選択手段とシザース揺動手段との接続を、シザース選択手段１００のスライドプレート５０に設けた袋状の凹陥部５０ｂに、シザース揺動手段３００のカップリングアーム３４の先端部を挿入することにより行っている。
【手続補正３】
【補正対象書類名】明細書
【補正対象項目名】０００７
【補正方法】変更
【補正の内容】
【０００７】
本考案は、シザース選択手段とシザース開閉手段操作手段とをトップパートに、シザースを有するシザースアッセンブリと，シザース揺動手段と，シザース開閉手段とをボトムパートに、トップパートとボトムパートとの間にわたって、ボトムパート開放固定手段をそれぞれ設け、トップパート下部にボトムパートを取り外し自在に枢着支持すると共に、トップパートとボトムパートとを固定するロック部材を設けてなり、ボトムパート開放固定手段は、ガイド溝を有しガイド溝の１側縁には複数の凹陥溝部を設け、ガイド溝の他側縁にはピン逃し切欠を設けたステーを、前記ピン逃し切欠側に向け揺動するよう付勢してトップパートからボトムパートに垂下し、ボトムパートのサイドプレートに設けたピンを前記ガイド溝に摺動嵌合したため、ボトムパートを上挙し、その内部を開放する際に、ステー７２に設けたガイド溝７３の複数の凹陥溝部７５を適宜選択してボトムパート５に設けたピン７４と係合させることで開放角度を適宜選択しメンテナンスを行うことが出来る。
【手続補正４】
【補正対象書類名】明細書
【補正対象項目名】００１０
【補正方法】変更
【補正の内容】
【００１０】
本考案給糸装置１は、トップパート４とボトムパート５とよりなり、トップパート４には給糸すべき糸を切断保持し案内するシザース３５を選択するシザース選択手段１００と、シザース開閉手段操作手段４００と、給糸装置１内部のメンテナンスを容易とするために給糸装置１のボトムパート５を開く開放固定手段６００とを有し、ボトムパート５には選択された糸を保持し、該糸を針３に案内するシザース３５を有するシザースアッセンブリ２００と、シザース揺動手段３００と、シザース開閉手段５００とを有し、トップパート４とボトムパート５とに渡って、トップパート４に対しボトムパート５を固定し或いは固定を開放し取り外しを可能とするボトムパート開放固定手段６００を有している。トップパート４は機台前面側に設けられるフロントブラケット６と、それと対をなして設けられるリヤブラケット７の両側にトップサイドプレート２ａを設け、その内部に前記したシザース選択手段１００及びシザース開閉手段操作手段４００を配し、対のトップサイドプレート２ａのいずれか一方の下縁からボトムパート開放固定手段６００を垂下している。ボトムパート５は２枚のボトムサイドプレート２ｂ間を適宜位置に設けたシャフト９，９・・・により所定の間隔を持ち、その間に糸保持案内手段のシザースアッセンブリ２００，シザース揺動手段３００，シザース開閉手段５００を配し、トップパート４のトップサイドプレート２ａからボトムパート開放固定手段６００を垂下している。そして、ボトムパート５はトップパート４のフロントブラケット６にシャフト１０により取り外し可能にかつ揺動可能に枢着支持されている。
【手続補正５】
【補正対象書類名】明細書
【補正対象項目名】００２４
【補正方法】変更
【補正の内容】
【００２４】
ボトムパート開放固定手段６００について説明する。ボトムパート開放固定手段６００は、ボトムパートのメンテナンス時などにボトムパート５を開いた状態に位置を固定するための手段であって、ボトムパート５を通常使用状態にロックするロック部材６１と、開放状態を固定するための開放位置固定部材６２とよりなる。
ロック部材６１はボトムパート５の上位にその幅方向に摺動可能に設けられた一対の平行したラッチレバー６３よりなり、前記対のレバー６３は両端部においてピン６４，６５で互いに連結され４角の枠組を構成している。そして、ピン６４，６５はボトムパート５のボトムサイドプレート２ｂ，２ｂに設けた横長孔６６，６７に摺動自在に嵌合している。そしてピン６５にはスプリング６８を設けることによりラッチレバー６３が図１において常に左行するように付勢されている。そしてラッチレバー６３の左端部（図１において）のピン６４は常態にあってはトップパート４のリヤブラケット７の下方に延びている鉤部６９と係合している。そして、上記鉤部６９とピン６４とが外れると、ボトムパート５は、ボトムパート５とトップパート４とを枢支しているシャフト１０を中心に図１において反時計針方向に旋回することになる。